(57)【要約】【課題】有用なサービスを提供することを課題とする。【解決手段】車載装置は、車両に乗車する複数の乗車者が有する複数の携帯端末装置について、複数の乗車者の車両における座席位置である役割情報若しくは位置情報と、当該複数の乗車者が有する複数の携帯端末装置それぞれを一意に識別する識別情報であるＭＡＣアドレスとに基づいて、車載装置と複数の携帯端末装置それぞれとによって連携して提供される様々な連携サービスを制御する。【選択図】        図１
2010126143.tif 000002
【特許請求の範囲】
【請求項１】
複数の携帯端末装置について車両における役割情報若しくは位置情報と、当該携帯端末装置を一意に識別する識別情報とを取得する取得部と、
前記取得部によって取得された役割情報若しくは位置情報と、識別情報とに基づいて、自装置および前記携帯端末装置によって実施される連携サービスを制御する連携サービス制御部と、
を有することを特徴とする車載装置。
【請求項２】
前記取得部は、取得した役割情報若しくは位置情報と、識別情報とを対応付けて履歴ＤＢに格納しておき、携帯端末装置によって接続要求された場合に、前記履歴ＤＢに格納された役割情報若しくは位置情報と識別情報とに基づいて、当該携帯端末装置について役割情報若しくは位置情報を推定し、表示部に出力することを特徴とする請求項１に記載の車載装置。
【請求項３】
前記取得部は、前記複数の携帯端末装置の所定機能の種別をさらに取得して、取得した役割情報若しくは位置情報と、識別情報と、所定機能の種別とを対応付けて利用ＤＢに格納し、
前記連携サービス制御部は、前記複数の携帯端末装置による接続要求を受け付けて、当該複数の携帯端末装置について、前記利用ＤＢに格納された役割情報若しくは位置情報と、識別情報と、所定機能の種別と同一である場合に、当該複数の携帯端末装置に対して同一の状態であることを通知することを特徴とする請求項１に記載の車載装置。
【請求項４】
前記取得部は、前記複数の携帯端末装置の所定機能の種別をさらに取得して、取得した役割情報若しくは位置情報と、識別情報と、所定機能の種別とを対応付けて利用ＤＢに格納し、
前記連携サービス制御部は、前記複数の携帯端末装置について接続確認を行い、当該複数の携帯端末装置について、前記利用ＤＢに格納された役割情報若しくは位置情報と、識別情報と、所定機能の種別とから変更された場合に、所定の携帯端末装置に対して変更された状態を通知することを特徴とする請求項１に記載の車載装置。
【請求項５】
予め定められた役割情報若しくは位置情報と、当該役割情報若しくは位置情報に応じて出力する表示部を示すディスプレイ情報と、当該役割情報若しくは位置情報に応じて制限するサービスを示すサービス制限情報とを対応付けて記憶するサービス制限マスタをさらに有し、
前記連携サービス制御部は、自装置または前記携帯端末装置のどちらに所定機能を出力させるのかを制御するものであって、前記携帯端末装置によって所定機能の出力要求がなされた場合に、前記取得部によって取得された役割情報若しくは位置情報と、識別情報と、前記サービス制限マスタとに基づいて出力先を制御することを特徴とする請求項１に記載の車載装置。
【請求項６】
複数の携帯端末装置について車両における役割情報若しくは位置情報と、当該携帯端末装置を一意に識別する識別情報とを取得する取得手順と、
前記取得手順によって取得された役割情報若しくは位置情報と、識別情報とに基づいて、自装置および前記携帯端末装置によって実施される連携サービスを制御する連携サービス制御手順と、
をコンピュータに実行させることを特徴とする連携サービス制御プログラム。
【発明の詳細な説明】
【技術分野】
【０００１】
本発明は、車載装置および連携サービス制御プログラムに関する。
【背景技術】
【０００２】
近年、車両には、ＧＰＳ（Global  Positioning  System）を利用したカーナビゲーションシステムを有する車載装置が搭載されつつある。そして、カーナビゲーションシステムを有する車載装置は、当該車載装置を利用するユーザによる多機能化の要望に応えて、多種多様な機能を具備している。
【０００３】
カーナビゲーションシステムを有する車載装置は、例えば、ナビゲーション機能だけでなく、ワンセグメント放送を受信する機能、ＣＤ（Compact  Disc）やＭＰ３（MPEG  Audio  Layer‐3）などを用いた音楽再生機能、ＤＶＤ（Digital  Versatile  Disk）再生機能などの多種多様な機能を具備している。ところが、車載装置に多種多様な機能を具備させることは、当該車載装置の高価格化を招いてしまうため、ユーザにとって好ましいことではない。
【０００４】
一方で、携帯電話機などの携帯端末装置は、低価格でありながら、ナビゲーション機能、音楽再生機能、ワンセグメント放送を受信する機能、さらにはＢｌｕｅｔｏｏｔｈ（登録商標）などの無線通信機能を具備するものが普及してきている。
【０００５】
そこで、最近では、無線通信機能を有する携帯端末装置と車載装置とを連携させて様々なサービスを提供する技術がある。携帯端末装置と車載装置とを連携させたサービスでは、携帯端末装置側の機能を車載装置側で利用可能なため、車載装置に多種多様な機能を具備させる必要がなくなり、車載装置の低価格化を実現できる。
【０００６】
例えば、特許文献１では、携帯端末装置によって生成され、当該携帯端末装置の画面に表示される表示データを車載装置に送信し、送信された表示データを車載装置の表示部に表示する技術が開示されている。
【０００７】
【特許文献１】特開２００３−２４４３４３号公報
【発明の開示】
【発明が解決しようとする課題】
【０００８】
しかしながら、上述した従来技術では、有用なサービスを提供することができないという課題がある。
【０００９】
具体的には、特許文献１では、車両の乗車者が複数人（複数の携帯端末装置）である場合に、各座席に座るユーザそれぞれの携帯端末装置について何のサービスを提供するのかが考慮されていないために、有用なサービスを提供することができない。
【００１０】
そこで、本発明は、上述した従来技術の課題を解決するためになされたものであり、有用なサービスを提供することが可能である車載装置および連携サービス制御プログラムを提供することを目的とする。
【課題を解決するための手段】
【００１１】
上述した課題を解決し、目的を達成するため、本発明の開示する車載装置は、複数の携帯端末装置について車両における役割情報若しくは位置情報と、当該携帯端末装置を一意に識別する識別情報とを取得する取得部と、前記取得部によって取得された役割情報若しくは位置情報と、識別情報とに基づいて、自装置および前記携帯端末装置によって実施される連携サービスを制御する連携サービス制御部と、を有することを要件とする。
【発明の効果】
【００１２】
本発明の開示する車載装置および連携サービス制御プログラムによれば、有用なサービスを提供することが可能であるという効果を奏する。
【発明を実施するための最良の形態】
【００１３】
以下に添付図面を参照して、本発明に係る車載装置および連携サービス制御プログラムの実施例を説明する。
【実施例１】
【００１４】
［車載装置の概要］
最初に、実施例１に係る車載装置の概要を説明する。
【００１５】
本発明の開示する車載装置は、例えば、表示機能、音楽再生機能および携帯端末装置との通信機能などの基礎的な機能を有している。そして、車載装置は、車両に搭載される複数のディスプレイや車両のスピーカなどに対して画像および音（音声）を出力する。
【００１６】
また、車載装置と携帯端末装置とは、無線通信機能（例えば、Ｂｌｕｅｔｏｏｔｈ（登録商標）など）を用いて連携させることができる。なお、以下では、携帯端末装置は、発着呼、電子メール送受信、ナビゲーション機能および音楽再生機能などの様々な機能を有する端末であり、例えば、携帯電話機、ＰＤＡ（Personal  Digital  Assistants）またはＰＣ（Personal  Computer）などの携帯端末装置として説明する。
【００１７】
上述した構成において、車載装置は、複数の携帯端末装置について車両における役割情報若しくは位置情報と、当該携帯端末装置を一意に識別する識別情報とを取得する。そして、車載装置は、取得された役割情報若しくは位置情報と、識別情報とに基づいて、自装置および携帯端末装置によって実施される連携サービスを制御する。
【００１８】
例えば、車載装置は、車両に乗車する一人または複数の乗車者が有する一つまたは複数の携帯端末装置によって接続要求された場合に、車両における運転席、助手席または後部席の位置（役割）の携帯端末装置であるか、および、当該携帯端末装置を一意に識別するＭＡＣ（Media  Access  Control）アドレスを取得する。
【００１９】
役割情報若しくは位置情報は、車両における助手席および後部席が複数である場合に、例えば、運転席側後部席、センター位置後部席および助手席側後部席などのように、さらに詳細に決められる。また、携帯端末装置を一意に識別する識別情報は、上記のＭＡＣアドレスに限られるものではなく、当該携帯端末装置を一意に識別するものであれば何であっても良い。
【００２０】
そして、車載装置は、取得された位置情報と、ＭＡＣアドレスとに基づいて、当該車載装置と携帯端末装置とが通信を介して協同し所定のプログラムを実行することによって実現される機能であるナビゲーション機能、音楽再生機能およびゲーム機能などの連携サービスを制御する。
【００２１】
連携サービスの制御において、例えば、取得された位置情報が運転席である場合には、全ての機能が車載装置の表示部に出力可能であったり、ハンズフリー機能による通話時に、車両に搭載されるスピーカを通して通話させたりする。また、例えば、取得された位置情報が助手席である場合には、ハンズフリー機能およびナビゲーション機能によるサービスを利用不可にしたり、音楽再生機能によるサービスを利用可にしたり、画面出力機能によるサービスを自席に位置するディスプレイのみ利用可にしたりする。
【００２２】
つまり、車載装置は、車両における位置情報に基づいて、当該車載装置と携帯端末装置とによって実施される様々な連携サービスを制御することができる結果、有用なサービスを提供することが可能である。
【００２３】
［車載装置の構成］
次に、図１を用いて、実施例１に係る車載装置の構成を説明する。図１は、実施例１に係る車載装置の構成例を示す図である。
【００２４】
図１に示すように、車載装置１００は、操作表示部１０１と、無線通信部１０２と、記憶部１１０と、制御部１２０とを有し、接続される携帯端末装置と連携して種々のサービスを提供する。
【００２５】
操作表示部１０１は、例えば、タッチパネルディスプレイ、ボタンおよびジョグダイヤルなどの入出力デバイスを有し、車両に乗車するユーザによる操作を受け付けたり、制御部１２０によって出力制御される情報を出力したりする。なお、操作表示部１０１は、運転席ＤＰ１０１ａや助手席ＤＰ１０１ｂなどを有しており、これらのディスプレイは、車両の各座席に対応した場所に配設される。
【００２６】
無線通信部１０２は、例えば、Ｂｌｕｅｔｏｏｔｈ（登録商標）などの無線通信規格を用いて携帯端末装置との通信リンクを確立し、確立された通信リンクを用いて車載装置１００と携帯端末装置との間の通信処理を行う。
【００２７】
なお、本発明では、Ｂｌｕｅｔｏｏｔｈ（登録商標）を用いて車載装置１００と携帯端末装置との間の通信処理を行う場合について説明するが、Ｗｉ−Ｆｉ（登録商標）やＺｉｇＢｅｅ（登録商標）などの他の無線通信規格を用いることとしても良い。また、車載装置１００と携帯端末装置との間の通信処理は、有線通信により実現することとしても良い。
【００２８】
記憶部１１０は、制御部１２０による各種処理に必要なデータや、制御部１２０による各種処理結果を記憶し、特に、サービス制限マスタ１１１と、履歴ＤＢ１１２と、利用ＤＢ１１３とを有する。
【００２９】
サービス制限マスタ１１１は、予め定められた役割情報若しくは位置情報と、当該役割情報若しくは位置情報に応じて出力する表示部を示すディスプレイ情報と、当該役割情報若しくは位置情報に応じて制限するサービスを示すサービス制限情報とを対応付けて記憶する。
【００３０】
例えば、サービス制限マスタ１１１は、図２に示すように、各携帯端末装置について、車両における位置情報と、当該位置情報に対応するディスプレイ情報とサービス制限情報とを記憶する。位置情報としては、例えば、「運転席」、「助手席」および「後部席」などを記憶する。また、ディスプレイ情報としては、例えば、「運転席ＤＰ（ディスプレイ）」、「センターＤＰ」および「後部席ＤＰ」などを記憶する。また、サービス制限情報としては、「ハンズフリー」、「ナビゲーション」、「音楽」および「画面」などに制限を設け、例えば、「ハンズフリー：可」、「ナビゲーション：可」、「音楽：可」および「画面：可」などを記憶する。
【００３１】
図２において、運転席と助手席とで利用するディスプレイが異なる理由は、例えば、各座席に適した場所のディスプレイを利用させるためである。また、運転席と助手席とで提供されるサービスの制限が異なる理由は、例えば、ハンズフリー機能において、運転席に座るユーザは運転中であるためであり、運転席以外に座るユーザは各々の携帯端末装置を利用して通話すれば良いためである。また、図２に示した各種サービスの制限については、一例であって必ずしも図示のものに限られるわけではない。なお、図２は、サービス制限マスタに記憶される情報の例を示す図である。
【００３２】
履歴ＤＢ１１２は、接続された携帯端末装置の識別情報と、接続日時と、接続位置と、接続場所と、切断場所とを対応付けて記憶する。例えば、履歴ＤＢ１１２は、図３に示すように、接続された携帯端末装置それぞれについての接続履歴として、ＭＡＣアドレス「００−３０−０５−６ｂ−３８−９８」と、接続日「０８／１１／１０」と、接続時間「１１：４５〜１２：５５」と、接続位置「運転席」と、接続場所「（３５．５８４０５４，１３９．６３９８７８）」と、切断場所「（３５．６８６６８６，１３９．７８６２２）」とを対応付けて記憶する。接続場所と切断場所とは、緯度情報および経度情報を示している。なお、図３は、履歴ＤＢ１１２に記憶される情報の例を示す図である。
【００３３】
利用ＤＢ１１３は、接続された携帯端末装置の識別情報と、役割情報若しくは位置情報と、所定機能の種別とを対応付けて記憶する。例えば、利用ＤＢ１１３は、図４に示すように、接続された携帯端末装置それぞれについて、ＭＡＣアドレス「００−Ａ０−Ｄ５−ＦＦ−ＦＦ−９７」と、位置情報「運転席」と、アプリケーション種別「ナビゲーション、音楽」とを対応付けて記憶する。なお、図４は、利用ＤＢ１１３に記憶される情報の例を示す図である。
【００３４】
制御部１２０は、制御プログラム、各種の処理手順などを規定したプログラムおよび所要データを格納するための内部メモリを有するとともに、特に、取得部１２１と、連携サービス制御部１２２とを有し、これらによって種々の処理を実行する。
【００３５】
取得部１２１は、複数の携帯端末装置について車両における役割情報若しくは位置情報と、当該携帯端末装置を一意に識別する識別情報とを取得する。
【００３６】
例えば、取得部１２１は、車両に乗車する一人または複数の乗車者が有する一つまたは複数の携帯端末装置によって接続要求された場合に、車両における運転席、助手席または後部席の位置（役割）の携帯端末装置であるかと、当該携帯端末装置を一意に識別するＭＡＣアドレスとを取得する。
【００３７】
また、取得部１２１は、取得した役割情報若しくは位置情報と、識別情報とを対応付けて履歴ＤＢ１１２に格納しておき、携帯端末装置によって接続要求された場合に、履歴ＤＢ１１２に格納された役割情報若しくは位置情報と識別情報とに基づいて、当該携帯端末装置について役割情報若しくは位置情報を推定し、操作表示部１０１に出力する。
【００３８】
例えば、取得部１２１は、取得した位置情報と、ＭＡＣアドレスと、当該ＭＡＣアドレスに対応する携帯端末装置の接続日と、接続時間と、接続場所と、切断場所とを対応付けて履歴ＤＢ１１２に格納する。そして、取得部１２１は、携帯端末装置によって接続要求された場合に、履歴ＤＢ１１２に格納された位置情報とＭＡＣアドレスとに基づいて、当該携帯端末装置について位置情報を推定して、推定された位置情報を優先して操作表示部１０１に出力する。
【００３９】
また、取得部１２１は、複数の携帯端末装置の所定機能の種別をさらに取得して、取得した役割情報若しくは位置情報と、識別情報と、所定機能の種別とを対応付けて利用ＤＢ１１３に格納する。
【００４０】
例えば、取得部１２１は、複数の携帯端末装置のアプリケーションの種別をさらに取得して、取得した位置情報と、ＭＡＣアドレスと、アプリケーションの種別とを対応付けて利用ＤＢ１１３に格納する。
【００４１】
連携サービス制御部１２２は、取得部１２１によって取得された役割情報若しくは位置情報と、識別情報とに基づいて、自装置および携帯端末装置によって実施される連携サービスを制御する。
【００４２】
例えば、連携サービス制御部１２２は、取得部１２１によって取得された位置情報と、ＭＡＣアドレスとに基づいて、当該車載装置１００と携帯端末装置によって実施されるナビゲーション機能、音楽再生機能およびゲーム機能などの連携サービスを制御して、操作表示部１０１や車両のスピーカなどに出力する。
【００４３】
また、連携サービス制御部１２２は、複数の携帯端末装置による接続要求を受け付けて、当該複数の携帯端末装置について、利用ＤＢ１１３に格納された役割情報若しくは位置情報と、識別情報と、所定機能の種別と同一である場合に、当該複数の携帯端末装置に対して同一の状態であることを通知する。
【００４４】
例えば、連携サービス制御部１２２は、複数の携帯端末装置による接続要求を受け付けた場合に、当該複数の携帯端末装置について、利用ＤＢ１１３に格納された位置情報と、ＭＡＣアドレスと、アプリケーションの種別と同一であるか否かを判定する。そして、連携サービス制御部１２２は、利用ＤＢ１１３に格納された情報と複数の携帯端末装置の情報とが同一である場合に、当該複数の携帯端末装置に対して同一の状態であることを通知する。
【００４５】
なお、同一の状態であることを通知された携帯端末装置は、接続要求前（以前の接続時）に利用していたアプリケーション機能を車載装置１００に対して出力させる指示を行う。要するに、例えば、車載装置１００は、運転中にナビゲーション機能や音楽機能を当該車載装置１００において出力している状態で、一旦エンジンが切られて運転を再開する際に、直前に利用していたナビゲーション機能や音楽機能を続きから出力する。
【００４６】
また、連携サービス制御部１２２は、複数の携帯端末装置について接続確認を行い、当該複数の携帯端末装置について、利用ＤＢ１１３に格納された役割情報若しくは位置情報と、識別情報と、所定機能の種別とから変更された場合に、所定の携帯端末装置に対して変更された状態を通知する。
【００４７】
例えば、連携サービス制御部１２２は、接続登録された複数の携帯端末装置について接続確認を常時行っており、当該複数の携帯端末装置について、利用ＤＢ１１３に格納された位置情報と、ＭＡＣアドレスと、アプリケーションの種別とから変更があった場合に、運転席の携帯端末装置に対して変更された状態を通知する。
【００４８】
［接続登録処理フロー］
次に、図５を用いて、実施例１に係る接続登録処理の流れを説明する。図５は、実施例１に係る接続登録処理の流れを示すフローチャートである。なお、接続登録処理とは、車両に乗車する乗車者が有する携帯端末装置と、車載装置１００との初期接続にかかる登録処理のことである。
【００４９】
例えば、図５に示すように、車載装置１００は、携帯端末装置によって接続要求された場合に（ステップＳ１０１肯定）、ペアリング済みの携帯端末装置であるか否かを判定する（ステップＳ１０２）。なお、ステップＳ１０１では、例えば、車載装置１００の電源が投入されると、携帯端末装置からの要求を受け付けるための通知が当該車載装置１００によって出力し続けられており、当該出力を受信した携帯端末装置によって接続要求が行われる。
【００５０】
そして、車載装置１００は、ペアリング済みの携帯端末装置でない場合に（ステップＳ１０２否定）、当該携帯端末装置と車載装置１００とにおけるペアリング処理を行う（ステップＳ１０３）。なお、ペアリング処理とは、車載装置１００と携帯端末装置との接続を確立するために相互機器を認証する処理であり、当該認証処理において、ＰＩＮ（Personal  Identity  Number）コードと呼ばれる認証鍵を交換する処理が行われる。
【００５１】
また、車載装置１００は、ペアリング済みの携帯端末装置である場合に（ステップＳ１０２肯定）、Ｂｌｕｅｔｏｏｔｈ（商標登録）などによる無線接続を確立する処理を行う（ステップＳ１０４）。なお、ペアリング済みの携帯端末装置であるか否かは、例えば、車載装置１００と携帯端末装置との初期接続時に、ＰＩＮコードを記憶部１１０に格納しておくことで、携帯端末装置による接続要求時にペアリング済みの携帯端末装置であるか否かを確認する。
【００５２】
続いて、車載装置１００は、携帯端末装置について車両における役割情報若しくは位置情報と、当該携帯端末装置を一意に識別する識別情報であるＭＡＣアドレスとを取得して、履歴ＤＢ１１２に格納する（ステップＳ１０５）。なお、携帯端末装置の位置情報は、例えば、車載装置１００の操作表示部１０１に「運転席」、「助手席」および「後部席」などを出力させて、ユーザによって選択されることにより取得される。
【００５３】
その後、車載装置１００は、携帯端末装置によって保持されるアプリケーションの種別を取得する（ステップＳ１０６）。アプリケーション種別は、例えば、ナビゲーション機能、音楽機能およびゲーム機能などである。
【００５４】
そして、車載装置１００は、取得された位置情報と、ＭＡＣアドレスと、アプリケーション種別とを利用ＤＢ１１３に格納することにより、接続登録処理を実施する（ステップＳ１０７）。要するに、利用ＤＢ１１３には、同一のセッション時において接続登録された複数の携帯端末装置の組み合わせの履歴となる情報が格納される。
【００５５】
［サービス制御処理フロー］
次に、図６を用いて、実施例１に係るサービス制御処理の流れを説明する。図６は、実施例１に係るサービス制御処理の流れを示すフローチャートである。なお、サービス制御処理とは、複数の携帯端末装置におけるサービス制限を決定する処理である。
【００５６】
例えば、図６に示すように、車載装置１００は、既に接続登録済みの携帯端末装置である場合に（ステップＳ２０１肯定）、位置情報「運転席」の携帯端末装置であるか否かを判定する（ステップＳ２０２）。そして、車載装置１００は、位置情報「運転席」の携帯端末装置である場合に（ステップＳ２０２肯定）、当該携帯端末装置を運転席のサービス制限として決定する。運転席のサービス制限は、例えば、「ハンズフリー：可」、「ナビゲーション：可」、「音楽：可」および「画面：可」となる。
【００５７】
また、車載装置１００は、位置情報「運転席」の携帯端末装置でない場合に（ステップＳ２０２否定）、位置情報「助手席」の携帯端末装置であるか否かを判定する（ステップＳ２０３）。続いて、車載装置１００は、位置情報「助手席」の携帯端末装置である場合に（ステップＳ２０３肯定）、当該携帯端末装置を助手席のサービス制限として決定する。助手席のサービス制限は、例えば、「ハンズフリー：不可」、「ナビゲーション：不可」、「音楽：可」および「画面：センターＤＰのみ可」となる。
【００５８】
また、車載装置１００は、位置情報「助手席」の携帯端末装置でない場合に（ステップＳ２０３否定）、位置情報「後部席」の携帯端末装置であるか否かを判定する（ステップＳ２０４）。その後、車載装置１００は、位置情報「後部席」の携帯端末装置である場合に（ステップＳ２０４肯定）、当該携帯端末装置を後部席のサービス制限として決定する。後部席のサービス制限は、例えば、「ハンズフリー：不可」、「ナビゲーション：不可」、「音楽：可」および「画面：後部席ＤＰのみ可」となる。なお、車載装置１００は、接続登録済みの携帯端末装置でない場合（ステップＳ２０１否定）、または、位置情報「後部席」の携帯端末装置でない場合に（ステップＳ２０４否定）、処理を終了する。
【００５９】
また、車載装置１００は、決定されたサービス制限を保持する場合に、当該サービス制限を決定したことを携帯端末装置に通知して、当該携帯端末装置からのアプリケーション機能の出力要求待ちの状態となる。なお、出力要求待ちの状態である車載装置１００は、携帯端末装置によって出力要求された場合に、保持されるサービス制限に基づいてアプリケーションを当該車載装置１００で出力するか携帯端末装置に出力させるかを判定する。
【００６０】
また、車載装置１００は、決定されたサービス制限を携帯端末装置に対して通知する場合に、当該携帯端末装置によって保持されるサービス制限に基づいたアプリケーションの出力要求がなされると、当該アプリケーションを車載装置１００で出力する。
【００６１】
［接続位置予測処理］
次に、図７を用いて、実施例１に係る接続位置予測処理の流れを説明する。図７は、実施例１に係る接続位置予測処理の流れを示すフローチャートである。なお、接続位置予測処理とは、接続登録処理における位置情報の取得において、ユーザに選択させるために表示部に表示する位置情報の表示順序を決定する処理である。
【００６２】
例えば、図７に示すように、車載装置１００は、携帯端末装置の接続数が「１」台である場合に（ステップＳ３０１肯定）、車両の座席にユーザが座っていることを検出するセンサである座席圧力センサの反応数が「１」であるか否かを判定する（ステップＳ３０２）。そして、車載装置１００は、座席圧力センサの反応数が「１」である場合に（ステップＳ３０２肯定）、操作表示部１０１に表示する位置情報の表示順序として「運転席」を優先して出力する。
【００６３】
また、車載装置１００は、携帯端末装置の接続数が「１」台でない場合に（ステップＳ３０１否定）、携帯端末装置の接続数が「２」台であるか否かを判定する（ステップＳ３０３）。そして、車載装置１００は、携帯端末装置の接続数が「２」台である場合（ステップＳ３０３肯定）、または、座席圧力センサの反応数が「１」でない場合に（ステップＳ３０２否定）、携帯端末装置Ａについて履歴ＤＢ１１２に格納される履歴で最も多い座席が「運転席」であるか否かを判定する（ステップＳ３０４）。
【００６４】
続いて、車載装置１００は、履歴で最も多い座席が「運転席」である場合に（ステップＳ３０４肯定）、座席圧力センサの反応場所に「運転席」が含まれているか否かを判定する（ステップＳ３０５）。その後、車載装置１００は、座席圧力センサの反応場所に「運転席」が含まれている場合に（ステップＳ３０５肯定）、操作表示部１０１に表示する位置情報の表示順序として「運転席」を優先して出力する。
【００６５】
また、車載装置１００は、履歴で最も多い座席が「運転席」でない場合に（ステップＳ３０４否定）、履歴で最も多い座席が「助手席」であるか否かを判定する（ステップＳ３０６）。そして、車載装置１００は、履歴で最も多い座席が「助手席」である場合（ステップＳ３０６肯定）、または、座席圧力センサの反応場所に「運転席」が含まれない場合に（ステップＳ３０５否定）、座席圧力センサの反応場所に「助手席」が含まれるか否かを判定する（ステップＳ３０７）。
【００６６】
続いて、車載装置１００は、座席圧力センサの反応場所に「助手席」が含まれる場合に（ステップＳ３０７肯定）、操作表示部１０１に表示する位置情報の表示順序として「助手席」を優先して出力する。なお、車載装置１００は、接続される全ての携帯端末装置について上記処理を実施する。また、表示順序の優先出力においては、座席圧力センサを用いることとして説明したが、当該座席圧力センサの処理を行うことなく履歴ＤＢ１１２に格納される履歴情報のみに基づいて決定することとしても良い。
【００６７】
ここで、携帯端末装置からの出力要求に応じて、操作表示部１０１が有するディスプレイ（例えば、運転席ＤＰ１０１ａや助手席ＤＰ１０１ｂなど）のうち、どのディスプレイに出力させるかについて、図８を用いて説明する。図８は、構造化ディスプレイの例を示す図である。
【００６８】
例えば、車載装置１００は、車両に搭載されたディスプレイを構造化した情報（図８参照）を予め保持しており、後部席に位置する携帯端末装置によって後方ＤＰの２列目に配設された運転席側ＤＰに対する出力要求を受け付ける。そして、車載装置１００は、後方ＤＰの２列目に配設されるセンター側ＤＰ、助手席側ＤＰおよび運転席側ＤＰが車両に配設されているかを判定し、配設されているディスプレイのうち、構造化において最もレベルの低いディスプレイを選択して出力する。なお、構造化ディスプレイは、車両によって異なるものであるため、図８に示した構造に限られるものではない。
【００６９】
［実施例１に係る連携サービス制御処理］
次に、図９を用いて、実施例１に係る連携サービス制御処理の流れを説明する。図９は、実施例１に係る連携サービス制御処理の流れを示すフローチャートである。
【００７０】
例えば、図９に示すように、車載装置１００は、出力先の変更または携帯端末装置の構成が前回（直前）と同一であることを携帯端末装置に対して通知する（ステップＳ４０１）。また、車載装置１００による通知を受け付けた携帯端末装置は、所定のアプリケーションの出力要求を車載装置１００に対して送信する（ステップＳ４０２）。
【００７１】
また、携帯端末装置による出力要求を受け付けた車載装置１００は、当該携帯端末装置について出力制限があるか否かをサービス制限マスタ１１１に基づいて判定する（ステップＳ４０３）。そして、車載装置１００は、出力制限がない場合に（ステップＳ４０３否定）、携帯端末装置に対応する操作表示部１０１のディスプレイに出力する（ステップＳ４０４）。
【００７２】
また、車載装置１００は、出力制限がある場合に（ステップＳ４０３肯定）、出力要求の拒否、すなわち携帯端末装置の表示部に出力を指示し、出力指示を受け付けた携帯端末装置は、当該携帯端末装置の表示部に出力する（ステップＳ４０５）。
【００７３】
［実施例１による効果］
上述したように、車載装置１００は、接続される複数の携帯端末装置の車両における位置情報に基づいて、当該車載装置１００と複数の携帯端末装置とで連携して提供する様々なサービスを制御するので、有用なサービスを提供することが可能である。
【実施例２】
【００７４】
ところで、上記実施例１では、車載装置と携帯端末装置とにより提供される連携サービスの制限を、車載装置によって制限する場合について説明したが、本発明はこれに限定されるものではなく、携帯端末装置によって制限することもできる。
【００７５】
そこで、以下の実施例２では、図１０および図１１を用いて、車載装置と携帯端末装置とにより提供される連携サービスを、携帯端末装置によって制限する場合について説明する。
【００７６】
［携帯端末装置の構成］
まず、図１０を用いて、実施例２に係る携帯端末装置の構成を説明する。図１０は、実施例２に係る携帯端末装置の構成例を示す図である。
【００７７】
図１０に示すように、携帯端末装置１５０は、操作部１５１と、表示部１５２と、無線通信部１５３と、通信部１５４と、記憶部１６０と、制御部１７０とを有し、接続される車載装置と連携して種々のサービスを提供する。
【００７８】
操作部１５１は、例えば、操作ボタンやカーソルキーなどの入力デバイスを有し、ユーザ（例えば、携帯端末装置１５０の所有者）による種々の操作を受け付ける。
【００７９】
表示部１５２は、例えば、モニタ（液晶ディスプレイや有機ＥＬディスプレイなど）やタッチパネルディスプレイなどの出力デバイスを有し、後述する制御部１７０における処理結果などの情報を出力する。
【００８０】
無線通信部１５３は、例えば、Ｂｌｕｅｔｏｏｔｈ（登録商標）などの無線通信規格を用いて車載装置との通信リンクを確立し、確立された通信リンクを用いて車載装置と携帯端末装置１５０との間の通信処理を行う。
【００８１】
なお、本発明では、Ｂｌｕｅｔｏｏｔｈ（登録商標）を用いて車載装置と携帯端末装置１５０との間の通信処理を行う場合について説明するが、Ｗｉ−Ｆｉ（登録商標）やＺｉｇＢｅｅ（登録商標）などの他の無線通信規格を用いることとしても良い。また、車載装置と携帯端末装置１５０との間の通信処理は、有線通信により実現することとしても良い。
【００８２】
通信部１５４は、例えば、基地局などを介して、インターネットなどのネットワーク上に設けられたサーバ装置と通信処理を行うデバイスであり、通話や電子メールの送受信、さらにはＧＰＳ衛星や地図センタなどと通信処理を行う。
【００８３】
記憶部１６０は、制御部１７０による各種処理に必要なデータや、制御部１７０による各種処理結果を記憶する。例えば、記憶部１６０は、後述する制限情報受付部１７１によって受け付けられた制限情報を記憶する。なお、制限情報とは、例えば、図２に示した制限情報のうち、自装置に該当するサービス制限の情報のことである。
【００８４】
制御部１７０は、制御プログラム、各種の処理手順などを規定したプログラムおよび所要データを格納するための内部メモリを有するとともに、特に、制限情報受付部１７１と、出力制限判定部１７２と、出力指示部１７３とを有し、これらによって種々の処理を実行する。
【００８５】
制限情報受付部１７１は、車載装置によって通知される制限情報を受け付けて、受け付けた制限情報を記憶部１６０に格納する。
【００８６】
具体的に例を挙げると、制限情報受付部１７１は、位置情報「助手席」と、ディスプレイ情報「センターＤＰ」と、サービス制限情報として「ハンズフリー：不可」と、「ナビゲーション：不可」と、「音楽：可」と、「画面：センターＤＰのみ可」との制限情報を接続される車載装置から受け付けて、記憶部１６０に格納する。
【００８７】
出力制限判定部１７２は、車載装置に対して所定機能を出力させる場合に、制限情報受付部１７１によって記憶部１６０に格納された制限情報に基づいて、当該所定機能の出力制限があるか否かを判定する。
【００８８】
上述した例で具体的に例を挙げると、出力制限判定部１７２は、車載装置に対してアプリケーション「ナビゲーション」または「音楽」の出力指示を行う場合に、記憶部１６０に格納された制限情報「ナビゲーション：不可」または「音楽：可」に基づいて、当該アプリケーションの出力制限があるか否かを判定する。
【００８９】
出力指示部１７３は、出力制限判定部１７２によって出力制限がないと判定された場合に、車載装置に対して所定機能の出力を指示し、出力制限があると判定された場合に、自装置の表示部１５２に対して所定機能の出力を指示する。
【００９０】
上述した例で具体的に例を挙げると、出力指示部１７３は、出力制限判定部１７２によってアプリケーション「音楽」の出力制限がないと判定された場合に、車載装置に対してアプリケーション「音楽」の出力を指示する。また、出力指示部１７３は、出力制限判定部１７２によってアプリケーション「ナビゲーション」の出力制限があると判定された場合に、携帯端末装置１５０の表示部１５２に対してアプリケーション「ナビゲーション」の出力を指示する。
【００９１】
また、出力指示部１７３は、車載装置によって直前に出力していた状態と同一であることを通知された場合に、車載装置に対して直前に出力していた所定機能の出力を指示する。
【００９２】
例えば、出力指示部１７３は、車両のエンジンなどが切られて、再度乗車された場合に、エンジンが切られる前に構成していた複数の携帯端末装置の位置情報の状態と同一であることを、車載装置によって通知された場合に、当該車載装置に対して直前に出力していたアプリケーションの出力を指示する。
【００９３】
［実施例２に係る連携サービス制御処理］
次に、図１１を用いて、実施例２に係る連携サービス制御処理の流れを説明する。図１１は、実施例２に係る連携サービス制御処理の流れを示すフローチャートである。
【００９４】
図１１に示すように、車載装置は、接続される携帯端末装置１５０に対して、位置情報「助手席」と、ディスプレイ情報「センターＤＰ」と、サービス制限情報として「ハンズフリー：不可」と、「ナビゲーション：不可」と、「音楽：可」と、「画面：センターＤＰのみ可」との制限情報を通知する（ステップＳ５０１）。
【００９５】
また、制限情報を受け付けた携帯端末装置１５０は、当該制限情報を記憶部１６０に格納する（ステップＳ５０２）。そして、携帯端末装置１５０は、アプリケーション「ナビゲーション」または「音楽」の出力指示を車載装置に対して行う場合に（ステップＳ５０３肯定）、当該アプリケーションについて出力制限があるか否かを判定する（ステップＳ５０４）。
【００９６】
続いて、携帯端末装置１５０は、アプリケーション「ナビゲーション」の出力制限がある場合に（ステップＳ５０４肯定）、当該携帯端末装置１５０の表示部１５２に対してアプリケーション「ナビゲーション」の出力を指示する（ステップＳ５０５）。
【００９７】
また、携帯端末装置１５０は、アプリケーション「音楽」の出力制限がない場合に（ステップＳ５０４否定）、車載装置に対してアプリケーション「音楽」の出力を指示する（ステップＳ５０６）。
【００９８】
［実施例２による効果］
上述したように、携帯端末装置１５０は、車載装置によって通知された制限情報に基づいて、アプリケーションを車載装置に出力するのか携帯端末装置１５０に出力するのかを判定して出力指示を行うので、有用なサービスを提供することが可能である。
【実施例３】
【００９９】
さて、これまで本発明の実施例について説明したが、本発明は上述した実施例以外にも
種々の異なる形態にて実施されてよいものである。そこで、（１）プローブ情報、（２）目的地の入力、（３）車載装置の構成、（４）携帯端末装置の構成、（５）プログラム、において異なる実施例を説明する。
【０１００】
（１）プローブ情報
上記実施例１では、直前と同一である位置情報または変更された位置情報を携帯端末装置に対して通知し、車載装置１００と携帯端末装置とで連携するサービスを制御する場合を説明したが、本発明はこれに限定されるものではなく、プローブ情報としての位置情報と様々な車両情報とを携帯端末装置に対して通知することもできる。ここで、図１２を用いて、プローブ情報を提供する例を説明する。図１２は、プローブ情報を提供する例を示す図である。
【０１０１】
例えば、車載装置１００は、プローブ情報として、利用ＤＢ１１３から取得される車載装置１００に接続される複数の携帯端末装置の位置情報を含む車両情報を、携帯端末装置を介して、携帯アプリケーションを提供する企業などが保有するコンピュータに通知することができる。なお、車両情報としては、車両の現在地、目的地、車両に乗車している乗車人数や乗車位置、目的地までに要する時間、エンジンが切られた時に乗り降りした人数などがある。また、目的地に要するまでの時間やエンジンが切られた時などは、車載装置１００に接続される車両の各制御装置から得られる車速パルスや運行状態における検出値などからわかる。
【０１０２】
また、携帯アプリケーションを提供する企業が保有するコンピュータは、通知された車両情報に基づいて、目的地に至るまでの渋滞情報や、現在地または目的地に近傍の人気スポットなどを抽出して、ＣＰ（コンテンツプロバイダ）が保有するコンピュータに対して通知することができる。なお、ＣＰに通知される情報は、走行中の車両全てにおける情報であるため膨大な数の情報となる。
【０１０３】
また、ＣＰは、通知される膨大な数の情報に基づいて、種々のコンテンツを作成する。要するに、ＣＰは、所定の目的地に向かって走行する複数の車両に対して、例えば、目的地に応じた地図アプリケーションや乗車人数および乗車位置に合わせたアプリケーションなどの好適なコンテンツを作成することができる。さらには、カーナビゲーション機能などを含まない車載装置を利用するので、安価に好適なサービスを提供することができる。
【０１０４】
なお、図１２に示した例では、ＣＰが保有するコンピュータは携帯アプリケーションを提供する企業が保有するコンピュータを介して情報を受信する例を示しているが、情報の通知ルートは図示の例に限るものではない。例えば、携帯端末装置が、車載装置１００から受信した情報をその情報が示す内容に応じて、ＣＰが保有するコンピュータと携帯アプリケーションを提供する企業が保有するコンピュータとに振り分けて送信しても構わない。
【０１０５】
（２）目的地の入力
また、上記（１）プローブ情報において、目的地を通知する場合について説明したが、当該目的地の変更があった場合でもリアルタイムに通知することができる。ここで、図１３を用いて、ナビゲーション機能における目的地入力処理の流れを説明する。図１３は、ナビゲーション機能における目的地入力処理の流れを示すフローチャートである。
【０１０６】
例えば、図１３に示すように、位置情報「運転席」としての携帯端末装置Ａは、ナビゲーション機能の出力要求を車載装置に対して通知する（ステップＳ６０１）。また、出力要求を受け付けた車載装置は、ナビゲーション機能を表示部に表示出力する（ステップＳ６０２）。なお、車載装置は、受け付けた目的地を所定の記憶部（例えば、目的地ＤＢなど）に格納する。
【０１０７】
また、ナビゲーション機能が表示部に表示出力されている状態において、位置情報「助手席」としての携帯端末装置Ｂは、目的地を変更するために目的地を入力して車載装置に対して通知する（ステップＳ６０３）。
【０１０８】
また、車載装置は、目的地を受け付けた場合に（ステップＳ６０４肯定）、受け付けた目的地を目的地ＤＢに格納し（ステップＳ６０５）、当該目的地を携帯端末装置Ａに対して通知する（ステップＳ６０６）。なお、変更された目的地を受け付けた携帯端末装置Ａは、アプリケーションを提供する企業に対して目的地を通知する。この結果、リアルタイムに目的地に応じた地図アプリケーションを取得することができるので、有用なサービスを提供することができる。
【０１０９】
（３）車載装置の構成
また、上記文書中や図面中で示した処理手順、制御手順、具体的名称、各種のデータやパラメタを含む情報（例えば、「サービス制限マスタ１１１」に記憶される情報など）については、特記する場合を除いて任意に変更することができる。
【０１１０】
また、図示した各装置の各構成要素は、機能概念的なものであり、必ずしも物理的に図示の如く構成されていることを要しない。すなわち、各装置の分散・統合の具体的形態は、図示のものに限られず、例えば、連携サービス制御部１２２を、提供する各サービス単位に分散するなど、その全部または一部を各種の負担や使用状況などに応じて、任意の単位で機能的または物理的に分散・統合することができる。さらに、各装置にて行われる各処理機能は、その全部または任意の一部が、ＣＰＵおよび当該ＣＰＵにて解析実行されるプログラムにて実現され、あるいは、ワイヤードロジックによるハードウェアとして実現され得る。
【０１１１】
（４）携帯端末装置の構成
また、上記文書中や図面中で示した処理手順、制御手順、具体的名称、各種のデータやパラメタを含む情報（例えば、「制限情報受付部１７１」の具体的名称など）については、特記する場合を除いて任意に変更することができる。
【０１１２】
また、図示した各装置の各構成要素は、機能概念的なものであり、必ずしも物理的に図示の如く構成されていることを要しない。すなわち、各装置の分散・統合の具体的形態は、図示のものに限られず、例えば、出力制限判定部１７２と、出力指示部１７３とを、制限情報に基づいて出力制限があるか否かを判定し、所定の表示部に出力指示する出力指示部として統合するなど、その全部または一部を各種の負担や使用状況などに応じて、任意の単位で機能的または物理的に分散・統合することができる。さらに、各装置にて行われる各処理機能は、その全部または任意の一部が、ＣＰＵおよび当該ＣＰＵにて解析実行されるプログラムにて実現され、あるいは、ワイヤードロジックによるハードウェアとして実現され得る。
【０１１３】
（５）プログラム
ところで、上記実施例では、ハードウェアロジックによって各種の処理を実現する場合を説明したが、本発明はこれに限定されるものではなく、あらかじめ用意されたプログラムをコンピュータで実行することによって実現するようにしてもよい。そこで、以下では、図１４を用いて、上記実施例に示した車載装置１００と同様の機能を有する連携サービス制御プログラムを実行するコンピュータの一例を説明する。図１４は、連携サービス制御プログラムを実行するコンピュータを示す図である。
【０１１４】
図１４に示すように、車載装置としてのコンピュータ１１は、バス１８などで接続されるＨＤＤ１３、ＣＰＵ１４、ＲＯＭ１５およびＲＡＭ１６を有する。
【０１１５】
ＲＯＭ１５には、上記実施例１に示した車載装置１００と同様の機能を発揮する連携サービス制御プログラム、つまり、図１４に示すように取得プログラム１５ａと、連携サービス制御プログラム１５ｂとが、あらかじめ記憶されている。なお、これらのプログラム１５ａ〜プログラム１５ｂについては、図１に示した車載装置１００の各構成要素と同様、適宜統合または、分散してもよい。
【０１１６】
そして、ＣＰＵ１４がこれらのプログラム１５ａ〜プログラム１５ｂをＲＯＭ１５から読み出して実行することで、図１４に示すように、プログラム１５ａ〜プログラム１５ｂは、取得プロセス１４ａと、連携サービス制御プロセス１４ｂとして機能するようになる。なお、プロセス１４ａ〜プロセス１４ｂは、図１に示した、取得部１２１と、連携サービス制御部１２２とに対応する。
【０１１７】
そして、ＣＰＵ１４はＲＡＭ１６に記録されたデータに基づいて連携サービス制御プログラムを実行する。
【０１１８】
なお、上記各プログラム１５ａ〜プログラム１５ｂについては、必ずしも最初からＲＯＭ１５に記憶させておく必要はなく、例えば、コンピュータ１１に挿入されるフレキシブルディスク（ＦＤ）、ＣＤ−ＲＯＭ、ＤＶＤディスク、光磁気ディスク、ＩＣカードなどの「可搬用の物理媒体」、またはコンピュータ１１の内外に備えられるＨＤＤなどの「固定用の物理媒体」、さらには公衆回線、インターネット、ＬＡＮ、ＷＡＮなどを介してコンピュータ１１に接続される「他のコンピュータ（またはサーバ）」などに各プログラムを記憶させておき、コンピュータ１１がこれから各プログラムを読み出して実行するようにしてもよい。
【０１１９】
以上の実施例１〜実施例３を含む実施形態に関し、更に以下の付記を開示する。
【０１２０】
（付記１）複数の携帯端末装置について車両における役割情報若しくは位置情報と、当該携帯端末装置を一意に識別する識別情報とを取得する取得部と、
前記取得部によって取得された役割情報若しくは位置情報と、識別情報とに基づいて、自装置および前記携帯端末装置によって実施される連携サービスを制御する連携サービス制御部と、
を有することを特徴とする車載装置。
【０１２１】
（付記２）前記取得部は、取得した役割情報若しくは位置情報と、識別情報とを対応付けて履歴ＤＢに格納しておき、携帯端末装置によって接続要求された場合に、前記履歴ＤＢに格納された役割情報若しくは位置情報と識別情報とに基づいて、当該携帯端末装置について役割情報若しくは位置情報を推定し、表示部に出力することを特徴とする付記１に記載の車載装置。
【０１２２】
（付記３）前記取得部は、前記複数の携帯端末装置の所定機能の種別をさらに取得して、取得した役割情報若しくは位置情報と、識別情報と、所定機能の種別とを対応付けて利用ＤＢに格納し、
前記連携サービス制御部は、前記複数の携帯端末装置による接続要求を受け付けて、当該複数の携帯端末装置について、前記利用ＤＢに格納された役割情報若しくは位置情報と、識別情報と、所定機能の種別と同一である場合に、当該複数の携帯端末装置に対して同一の状態であることを通知することを特徴とする付記１に記載の車載装置。
【０１２３】
（付記４）前記取得部は、前記複数の携帯端末装置の所定機能の種別をさらに取得して、取得した役割情報若しくは位置情報と、識別情報と、所定機能の種別とを対応付けて利用ＤＢに格納し、
前記連携サービス制御部は、前記複数の携帯端末装置について接続確認を行い、当該複数の携帯端末装置について、前記利用ＤＢに格納された役割情報若しくは位置情報と、識別情報と、所定機能の種別とから変更された場合に、所定の携帯端末装置に対して変更された状態を通知することを特徴とする付記１に記載の車載装置。
【０１２４】
（付記５）予め定められた役割情報若しくは位置情報と、当該役割情報若しくは位置情報に応じて出力する表示部を示すディスプレイ情報と、当該役割情報若しくは位置情報に応じて制限するサービスを示すサービス制限情報とを対応付けて記憶するサービス制限マスタをさらに有し、
前記連携サービス制御部は、自装置または前記携帯端末装置のどちらに所定機能を出力させるのかを制御するものであって、前記携帯端末装置によって所定機能の出力要求がなされた場合に、前記取得部によって取得された役割情報若しくは位置情報と、識別情報と、前記サービス制限マスタとに基づいて出力先を制御することを特徴とする付記１に記載の車載装置。
【０１２５】
（付記６）前記連携サービス制御部は、ナビゲーション機能における目的地を目的地ＤＢに格納し、目的地の変更要求がなされた場合に、変更された目的地を所定の携帯端末装置に対して通知することを特徴とする付記１に記載の車載装置。
【０１２６】
（付記７）複数の携帯端末装置について車両における役割情報若しくは位置情報と、当該携帯端末装置を一意に識別する識別情報とを取得する取得手順と、
前記取得手順によって取得された役割情報若しくは位置情報と、識別情報とに基づいて、自装置および前記携帯端末装置によって実施される連携サービスを制御する連携サービス制御手順と、
をコンピュータに実行させることを特徴とする連携サービス制御プログラム。
【０１２７】
（付記８）車載装置によって通知される制限情報を受け付けて、受け付けた制限情報を記憶部に格納する制限情報受付部と、
前記車載装置に対して所定機能を出力させる場合に、前記制限情報受付部によって記憶部に格納された制限情報に基づいて、当該所定機能の出力制限があるか否かを判定する出力制限判定部と、
前記出力制限判定部によって出力制限がないと判定された場合に、前記車載装置に対して前記所定機能の出力を指示し、出力制限があると判定された場合に、自装置の表示部に対して前記所定機能の出力を指示する出力指示部と、
を有することを特徴とする携帯端末装置。
【０１２８】
（付記９）前記出力指示部は、前記車載装置によって直前に出力していた状態と同一であることを通知された場合に、前記車載装置に対して直前に出力していた所定機能の出力を指示することを特徴とする付記８に記載の携帯端末装置。
【図面の簡単な説明】
【０１２９】
【図１】実施例１に係る車載装置の構成例を示す図である。
【図２】サービス制限マスタに記憶される情報の例を示す図である。
【図３】履歴ＤＢに記憶される情報の例を示す図である。
【図４】利用ＤＢに記憶される情報の例を示す図である。
【図５】実施例１に係る接続登録処理の流れを示すフローチャートである。
【図６】実施例１に係るサービス制御処理の流れを示すフローチャートである。
【図７】実施例１に係る接続位置予測処理の流れを示すフローチャートである。
【図８】構造化ディスプレイの例を示す図である。
【図９】実施例１に係る連携サービス制御処理の流れを示すフローチャートである。
【図１０】実施例２に係る携帯端末装置の構成例を示す図である。
【図１１】実施例２に係る連携サービス制御処理の流れを示すフローチャートである。
【図１２】プローブ情報を提供する例を示す図である。
【図１３】ナビゲーション機能における目的地入力処理の流れを示すフローチャートである。
【図１４】連携サービス制御プログラムを実行するコンピュータを示す図である。
【符号の説明】
【０１３０】
１００  車載装置
１０１  操作表示部
１０１ａ  運転席ＤＰ
１０１ｂ  助手席ＤＰ
１０２  無線通信部
１１０  記憶部
１１１  サービス制限マスタ
１１２  履歴ＤＢ
１１３  利用ＤＢ
１２０  制御部
１２１  取得部
１２２  連携サービス制御部
１５０  携帯端末装置
１５１  操作部
１５２  表示部
１５３  無線通信部
１５４  通信部
１６０  記憶部
１７０  制御部
１７１  制限情報受付部
１７２  出力制限判定部
１７３  出力指示部
【図１】
2010126143.tif 000003
【図２】
2010126143.tif 000004
【図３】
2010126143.tif 000005
【図４】
2010126143.tif 000006
【図５】
2010126143.tif 000007
【図６】
2010126143.tif 000008
【図７】
2010126143.tif 000009
【図８】
2010126143.tif 000010
【図９】
2010126143.tif 000011
【図１０】
2010126143.tif 000012
【図１１】
2010126143.tif 000013
【図１２】
2010126143.tif 000014
【図１３】
2010126143.tif 000015
【図１４】
2010126143.tif 000016